(57)【要約】【課題】親機と異なり高機能化されていない子機側でも高機能化された親機の各種機能を使用可能なコードレス電話装置を提供することを目的とする。【解決手段】回線を通じて音声信号等の送受信を行うと共に、子機３と双方向に無線通信を行うための無線通信部５と、各種入力を行うための操作部１１と、各種表示を行うための表示部１２とを備えた親機２と、親機２と双方向に無線通信を行うための無線通信部１６と、各種入力を行うための操作部１８と、各種表示を行うための表示部１９とを備えた子機３と、で構成されたコードレス電話装置１であって、子機３から無線による入力を受けると、親機２は子機３からの入力に対応する自己の機能を作動させて処理結果を子機３に返送し、子機３の表示部１９に親機２での処理結果を表示させる構成とした。【選択図】　図１
2004080656.tif 000002
【特許請求の範囲】
【請求項１】
回線を通じて音声信号等の送受信を行うと共に、子機と双方向に無線通信を行うための無線通信部と、各種入力を行うための操作部と、各種表示を行うための表示部とを備えた親機と、
親機と双方向に無線通信を行うための無線通信部と、各種入力を行うための操作部と、各種表示を行うための表示部とを備えた子機と、で構成されたコードレス電話装置であって、
子機から無線による入力を受けると、親機は子機からの入力に対応する自己の機能を作動させて処理結果を子機に返送し、子機の表示部に親機での処理結果を表示させることを特徴とするコードレス電話装置。
【請求項２】
子機からの入力により親機は自己の電子電話帳機能を作動させることを特徴とする請求項１記載のコードレス電話装置。
【請求項３】
子機からの入力により親機は自己の電子メール機能を作動させることを特徴とする請求項１，２の内のいずれか１記載のコードレス電話装置。
【請求項４】
子機からの入力により親機は自己のインターネット機能を作動させることを特徴とする請求項１，２，３の内のいずれか１記載のコードレス電話装置。
【発明の詳細な説明】
【０００１】
【発明の属する技術分野】
本発明は、親機の有する各種機能を子機側でも利用可能なコードレス電話装置に関するものである。
【０００２】
【従来の技術】
従来のコードレス電話装置においては、親機及び子機の双方に電子電話帳機能や電子メール機能やインターネット機能を持たせているので、子機側は子機単独で前述の各種機能を利用可能である。
【０００３】
【発明が解決しようとする課題】
しかしながら、以上のような従来のコードレス電話装置の構成では、子機側に電子電話帳機能を搭載すればその分だけ大容量のメモリが必要となる。ましてや、子機側に電子メール機能やインターネット機能を搭載するとなれば、子機の高機能化が必要となるので子機に持たせるソフトウエアは大きなものとなる。このため、子機を高機能化しようとすれば高性能のＣＰＵの搭載や大容量のメモリの搭載が必須のものとなり、子機の製造原価を大幅に引上げるという課題を有していた。
【０００４】
本発明は以上の課題を解決し、親機と異なり高機能化されていない子機側でも高機能化された親機の各種機能を使用可能なコードレス電話装置を提供することを目的とする。
【０００５】
【課題を解決するための手段】
この課題を解決するために本発明のコードレス電話装置は、回線を通じて音声信号等の送受信を行うと共に、子機と双方向に無線通信を行うための無線通信部と、各種入力を行うための操作部と、各種表示を行うための表示部とを備えた親機と、
親機と双方向に無線通信を行うための無線通信部と、各種入力を行うための操作部と、各種表示を行うための表示部とを備えた子機と、で構成されたコードレス電話装置であって、
子機から無線による入力を受けると、親機は子機からの入力に対応する自己の機能を作動させて処理結果を子機に返送し、子機の表示部に親機での処理結果を表示させる構成としたものである。
【０００６】
この発明によれば、親機と異なり高機能化されていない子機側でも高機能化された親機の各種機能を使用可能なコードレス電話装置を提供することができる。
【０００７】
【発明の実施の形態】
本発明の請求項１に記載の発明は、回線を通じて音声信号等の送受信を行うと共に、子機と双方向に無線通信を行うための無線通信部と、各種入力を行うための操作部と、各種表示を行うための表示部とを備えた親機と、
親機と双方向に無線通信を行うための無線通信部と、各種入力を行うための操作部と、各種表示を行うための表示部とを備えた子機と、で構成されたコードレス電話装置であって、
子機から無線による入力を受けると、親機は子機からの入力に対応する自己の機能を作動させて処理結果を子機に返送し、子機の表示部に親機での処理結果を表示させる構成としたものであり、
親機の有する機能を子機側から利用できるために子機を高機能化する必要がなくなるので、コードレス電話装置の製造原価を抑制できるという作用を有する。
【０００８】
本発明の請求項２に記載の発明は、請求項１記載の発明において、子機からの入力により親機は自己の電子電話帳機能を作動させる構成としたものであり、
親機の有する電子電話帳機能を子機側から利用できるので、子機に搭載するメモリの容量を削減できるという作用を有する。
【０００９】
本発明の請求項３に記載の発明は、請求項１，２の内のいずれか１記載の発明において、子機からの入力により親機は自己の電子メール機能を作動させる構成としたものであり、
親機の有する電子メール機能を子機側から利用できるので、子機に搭載するメモリの容量を削減できると共に関連するソフトウエアの規模も縮小できるという作用を有する。
【００１０】
本発明の請求項４に記載の発明は、請求項１，２，３の内のいずれか１記載の発明において、子機からの入力により親機は自己のインターネット機能を作動させる構成としたものであり、
親機の有するインターネット機能を子機側から利用できるので、子機に搭載するメモリの容量を削減できると共に関連するソフトウエアの規模も縮小できるという作用を有する。
【００１１】
以下、本発明の実施の形態について説明する。
【００１２】
（実施の形態１）
本発明の一実施の形態の大要は、コードレス電話装置の親機側にのみ電子メール機能やインターネット機能等の高機能を搭載し、子機側には親機の搭載する高機能を利用するための入力機能及び表示機能を持たせることで、子機を親機の外部入力手段及び表示手段として機能させ、子機の高機能化を回避することでコードレス電話装置全体の価格を抑制するように工夫したことである。
【００１３】
以下、本発明の一実施の形態の詳細を図１〜図４を参照しながら説明する。
【００１４】
図１は本発明の一実施の形態によるコードレス電話装置の親機の構成を示すブロック図である。図２は本発明の一実施の形態によるコードレス電話装置の親機へメロディーをダウンロードする手順を示す模式図であり、図３は本発明の一実施の形態によるコードレス電話装置の子機の構成を示すブロック図である。図４は本発明の一実施の形態によるコードレス電話装置の子機から親機を遠隔操作する手順及び親機の動作を示す模式図である。
【００１５】
図１において、コードレス電話装置１は、回線に接続された親機２と、親機２を基地局とする限定された移動通信機能を有する子機３とで構成されており、親機２と子機３とは一定の距離内（１００〜１５０ｍ）で双方向に無線通信可能である。なお、以下の説明においては、親機２に登録済みの子機３は一台であることを前提として話を進めるが、親機２には必要に応じて複数台の子機３を登録することが可能である。
【００１６】
親機２は制御部４の制御の下に電話の相手側と音声信号等の送受信を行う。親機２は自己に登録済みの子機３に対しては、無線送信部や無線受信部からなる無線通信部５を通じて子機３側と双方向に無線通信可能である。制御部４はＣＰＵやＲＡＭやＲＯＭ等で構成されており、親機２の制御全般を担っている。この親機２にはコードで接続された受話器６が備わっているので、受話器６を取り上げてオフフックすると子機３との無線通話（内線通話）や回線を通じての外部との通話（外線通話）が可能である。また、親機２にはスピーカーホン通話部７も備わっているので、スピーカーホン通話部７のスイッチを押すと手放しでの通話を行うこともできる。この親機２には留守番電話部８が備わっているので、回線からベルが入来しても親機２側や子機３側で共にオフフックしない場合には、留守番電話部８が作動して入来したメッセージの録音ができるようになっている。この際には、ベルが所定回数（例えば６回）鳴動してもオフフックされないと、制御部４は切り替えスイッチ９を通話回路部１０から留守番電話部８側に切り替えるようになっている。電話をする場合は操作部１１を操作してダイヤルするのであるが、その際はＬＣＤ等で構成された表示部１２にダイヤルした電話番号を表示して確認することができるようになっている。あるいは、電話を掛ける相手が電子電話帳１３に登録済みであれば、電子電話帳１３で電話を掛ける相手の名前を検索し、目的の電話番号や名前を表示部１２に表示した後にオフフック操作をすれば電話を掛けることができる。
【００１７】
さて、この親機２には高機能ソフト部１４が搭載されているので、利用者は必要に応じて親機２の操作部１１を操作して電子メール機能やインターネット機能を使用することができる。電子メール機能としては、メール本文の送受信に加えて添付ファイルも送受信可能である。インターネット機能としては、情報サイトに接続して各種のホームページの閲覧等が可能である。また、情報サイトからのメロディーのダウンロードも可能なので、親機２に備わっている本来の着信音や保留音を、利用者の好みの着信メロディーや保留メロディーに変更することができる。親機２に備わっている本来の着信音や保留音を利用者の好みの着信メロディーや保留メロディーに変更するには、図２に示すように、まず情報サイトへ親機２を接続（オンライン状態）して、接続した情報サイトから利用者の好みのメロディーを親機２にダウンロードして不揮発性のメモリに格納し、ダウンロードしたメロディーを着信メロディーか保留メロディーかに設定する。メロディーを格納する不揮発性のメモリは制御部４のＲＡＭとは別個のものであっても良いが、一応制御部４のＲＡＭを共用するものとする。
【００１８】
詳細な説明は省くが、親機２の操作部１１を操作して本来の着信音や保留音を利用者の好みの着信メロディーや保留メロディーに変更すると、それ以降に親機２が着信音や保留音を送出する際には、メロディーを格納した不揮発性のメモリから着信メロディーや保留メロディーのデータが読み出される。そして、メモリから読み出された着信メロディーや保留メロディーのデータは、図示しない高機能音源により多重和音化された音声データに変換された後に、着信メロディーの場合には、多重和音化された音声データをスピーカー７ａから着信メロディーとして音声出力するし、保留メロディーの場合には、多重和音化された音声データをスピーカー７ａから保留メロディーとして音声出力すると共に、回線側にも多重和音化された保留音の音声データを送出する。
【００１９】
さて、子機３側に高機能ソフト部１４が搭載されていなくても、子機３側から入力操作することにより親機２側を遠隔操作し、親機２側に搭載された高機能ソフト部１４を作動させて処理結果を子機３側に転送すれば、親機２に搭載された高機能ソフト部１４を事実上子機３の高機能ソフト部１４として活用することができる。
【００２０】
図３において、子機３は制御部１５の制御の下に無線送信部や無線受信部からなる無線通信部１６を通じて親機２側と双方向に無線通信可能である。制御部１５はＣＰＵやＲＡＭやＲＯＭ等で構成されており、子機３の制御全般を担っている。この子機３には通話部１７が備わっているので、親機２との内線通話や親機２を介しての外線通話が可能である。電話をする場合は操作部１８を操作してダイヤルするのであるが、その際はＬＣＤ等で構成された表示部１９にダイヤルした電話番号を表示して確認することができるようになっている。この表示部１９が通常の機種に比べて大きいのは、親機２の有する電子メール機能やインターネット機能を利用し易くするためである。子機３には電子電話帳２０も備わっているので、電話を掛ける相手が電子電話帳２０に登録済みであれば、電子電話帳２０で検索して電話をすることもできる。着信音や保留音はスピーカー２１から音声出力するようになっているが、親機２にダウンロードした着信メロディー等を子機３側でも使用したい場合には、親機２から子機３へ着信メロディー等の音声データを転送させれば、子機３のスピーカー２１から着信メロディー等を音声出力することができる。
【００２１】
なお、操作部１８には親機２の有する機能を子機３側から利用するための親機機能ボタン２２が備わっているが、この親機機能ボタン２２は操作部１８の各種機能ボタンの内の子機３に備わっていない機能を総括して呼称するものであり、子機３に備わっていない高機能ソフト部１４に関係する電子メールボタンやインターネットボタン等が親機機能ボタン２２に該当する。もし子機３に電子電話帳機能が備わっていない場合には、電子電話帳ボタンも親機機能ボタン２２に該当する。
【００２２】
さて、コードレス電話装置１の親機２と子機３の双方に高機能ソフト部１４が搭載されていれば、親機２や子機３それぞれにおいて単独で電子メール機能やインターネット機能を利用することができるのは、既に従来の技術の項目で述べた通りである。しかしながら、現実の問題としては、親機２や子機３の双方に高機能ソフト部１４を搭載するとなると対応するメモリも増量しなければならず、コードレス電話装置１の製造原価を引上げる要因となる。そこで、基地局として機能する親機２のみに高機能ソフト部１４を搭載し、高機能ソフト部１４を搭載していない子機３側は親機２側の高機能ソフト部１４を活用することにする。つまり、子機３からの遠隔操作で親機２に対する入力操作を行い、親機２側の高機能ソフト部１４を作動した処理結果を無線で子機３側に返送させて、親機２での処理結果を受信した子機３側では処理結果を自己の表示部１９に表示するようにすれば、子機３側に高機能ソフト部１４を搭載する必要がなくなるのでコードレス電話装置１の製造原価を引き下げることができる。
【００２３】
以下、親機２の高機能ソフト部１４を作動させた処理結果を親機２から子機３へ転送させて、子機３側で受信した処理結果を表示部１９に表示する方法を説明する。
【００２４】
図３に示すように、子機３には高機能ソフト部１４が搭載されていないので、図１に示す親機２の場合と異なり、子機３単独では電子メール機能やインターネット機能を使用することはできない。しかしながら、図１に示す親機２には高機能ソフト部１４が搭載されているので、子機３から親機２を遠隔操作すれば、子機３で使用する電子メール機能やインターネット機能は親機３側の高機能ソフト部１４の電子メール機能やインターネット機能を活用することで代用し、高機能ソフト部１４を作動させた処理結果を親機２側から子機３側へ返送して子機３の大型の表示部１９に表示するようにすれば、もはや子機３側に親機２と別個に高機能ソフト部１４を搭載する必要はなくなる。この場合には、子機３は親機２の外部入力手段及び外部表示手段として機能すると見做すことができる。
【００２５】
子機３に備わっていない機能の内の、例えば電子メール機能を子機３側で使用したい場合には、図３に示す操作部１８の親機機能ボタン２２の内の電子メールボタンを押下する。すると、図４に示すように、子機３の制御部１５は親機２を遠隔操作するための遠隔操作データを作成して無線通信部１６から親機２へ送信する。この遠隔操作データが親機２側の無線通信部５で受信されると、親機２の制御部４は子機３からの入力に対応する電子メール機能を包含する高機能ソフト部１４を作動させ、子機３側からの次の入力待ちの状態となる。子機３側から電子メール機能に関する入力操作を行うと、親機２側では高機能ソフト部１４の電子メール機能を作動させて処理結果のデータを無線通信部５から子機３側へ返送する。この処理結果のデータが子機３側の無線通信部１６で受信されると、子機３の制御部１５は自己の表示部１９に処理結果のデータを表示する。要するに、子機３側で電子メール関連の入力を行うと、親機２を媒介するものの、入力した結果が子機３の表示部１９に表示されるので、子機３側からは自己にあたかも電子メール機能が備わっているように見える。この際の子機３の機能は、親機２からは外部入力手段及び外部表示手段と見做すことができる。つまり、親機２をノート型パソコンとすれば、子機３は無線通信可能な外付けのディスプレイ付きキーボードのようなものである。
【００２６】
なお、子機３に備わっていない機能の内のインターネット機能を子機３側で使用する場合も電子メール機能を使用する場合と同様であり、子機３側からの入力に対応する処理を親機２が行い、処理結果のデータを親機２から子機３側に返送する。子機３に電子電話帳２０の搭載を省いた場合には、子機３からの入力により親機２は自己の電子電話帳１３を検索して検索結果を子機３側に返送させるようにすることができるので、子機３から電子電話帳２０を外して子機３に搭載するメモリの容量を削減することもできる。
【００２７】
以上に述べたように、本発明では親機にのみ高機能ソフト部を搭載して、子機側から無線による遠隔操作で親機の高機能ソフト部を作動させて利用し、親機での処理結果を子機に表示させるようにした。このため、子機を親機の外部入力手段及び外部表示部として利用できるので、子機を高機能化する必要がなくなり子機には概ね通話機能を保持させれば良いようになる。
【００２８】
【発明の効果】
以上のように本発明のコードレス電話装置によれば、回線を通じて音声信号等の送受信を行うと共に、子機と双方向に無線通信を行うための無線通信部と、各種入力を行うための操作部と、各種表示を行うための表示部とを備えた親機と、親機と双方向に無線通信を行うための無線通信部と、各種入力を行うための操作部と、各種表示を行うための表示部とを備えた子機と、で構成されたコードレス電話装置であって、
子機から無線による入力を受けると、親機は子機からの入力に対応する自己の機能を作動させて処理結果を子機に返送し、子機の表示部に親機での処理結果を表示させる構成としたものである。
【００２９】
このことにより、子機を親機同様に高機能化する必要が無くなるので、コードレス電話装置の製造原価を抑制できるという効果がある。
【図面の簡単な説明】
【図１】本発明の一実施の形態によるコードレス電話装置の親機の構成を示すブロック図
【図２】本発明の一実施の形態によるコードレス電話装置の親機へメロディーをダウンロードする手順を示す模式図
【図３】本発明の一実施の形態によるコードレス電話装置の子機の構成を示すブロック図
【図４】本発明の一実施の形態によるコードレス電話装置の子機から親機を遠隔操作する手順及び親機の動作を示す模式図
【符号の説明】
１　コードレス電話装置
２　親機
３　子機
４　制御部
５　無線通信部
６　受話器
７　スピーカーホン通話部
７ａ　スピーカー
８　留守番電話部
９　切り替えスイッチ
１０　通話回路部
１１　操作部
１２　表示部
１３　電子電話帳
１４　高機能ソフト部
１５　制御部
１６　無線通信部
１７　通話部
１８　操作部
１９　表示部
２０　電子電話帳
２１　スピーカー
２２　親機機能ボタン
【図１】
2004080656.tif 000003
【図２】
2004080656.tif 000004
【図３】
2004080656.tif 000005
【図４】
2004080656.tif 000006